【手続補正書】
【提出日】平成28年11月28日(2016.11.28)
【手続補正１】
【補正対象書類名】特許請求の範囲
【補正対象項目名】全文
【補正方法】変更
【補正の内容】
【特許請求の範囲】
【請求項１】
水性樹脂組成物（Ｉ）であって、少なくとも１つの重合可能なエチレン性不飽和ポリウレタンポリマー（Ａ）、場合によって、（Ａ）とは異なる少なくとも１つの重合可能なエチレン性不飽和化合物（Ｂ）、及び場合によって、少なくとも１つの中和剤（Ｃ）；を含み、
ポリウレタンポリマー（Ａ）は、重量平均分子量１５．０００ダルトン未満であり、並びに、少なくとも１つの脂肪族又は環状脂肪族ポリイソチアネート（ｉ）；イソシアネート基と反応することができる少なくとも１つの反応基、及び、直接的に又は塩を提供するための中和剤（Ｃ）との反応の後に、ポリウレタンポリマーを水性媒体に分散か溶解させることができる少なくとも１つの基を含む、少なくとも１つの親水性化合物（ｉｉ）；イソシアネート基と反応することができる少なくとも１つの求核基及び少なくとも１つの共重合可能なエチレン性不飽和基を本質的に含む、少なくとも１つの化合物（ｉｉｉ）；イソシアネート基と反応することができる少なくとも２つの反応基を含む少なくとも１つの化合物（ｉｖ）；及び場合によって、イソシアネート基と反応することができる少なくとも２つの反応基を含む、（ｉｖ）とは異なる少なくとも１つの鎖延長剤（ｖ）；を構造単位として含み、
化合物（ｉ）により提供されるイソシアネート基と化合物（ｉｉ）、（ｉｉｉ）及び（ｉｖ）により提供されるイソシアネート反応基の当量比が、１．０５：１〜１．２０：１であり、
乾燥後の樹脂組成物（Ｉ）の不揮発性成分は２５℃で水に再分散性又は再溶解性である、
水性樹脂組成物。
【請求項２】
水中分散体である、請求項１に記載の樹脂組成物。
【請求項３】
化合物（Ａ）及び（Ｂ）の総重量に対して、６０〜１００重量％の化合物（Ａ）及び０〜４０重量％の化合物（Ｂ）を含む、請求項１又は２に記載の樹脂組成物。
【請求項４】
化合物（Ｂ）が存在しない、請求項１〜３のいずれか一項に記載の樹脂組成物。
【請求項５】
請求項１〜４のいずれか一項に記載の樹脂組成物であって、
ポリウレタンポリマー（Ａ）は、１０〜６０重量％の少なくとも１つのポリイソチアネート（ｉ）；イソシアネート基と反応することができる少なくとも１つの反応基、及び、直接的又は塩を提供するための中和剤との反応の後に、ポリウレタンポリマーを水性媒体に分散させることができる少なくとも１つの基を含む、２〜２５重量％の少なくとも１つの親水性化合物（ｉｉ）；イソシアネート基と反応することができる少なくとも１つの反応基及び少なくとも１つの共重合可能なエチレン性不飽和基を含む、２０〜８５重量％の少なくとも１つの化合物（ｉｉｉ）；イソシアネート基と反応することができる少なくとも２つの反応基を含む、１〜３５重量％の少なくとも１つの化合物（ｉｖ）；及び、イソシアネート基と反応することができる少なくとも２つの反応基を含む、化合物（ｉｖ）とは異なる０〜１０重量％の少なくとも１つの鎖延長剤（ｖ）；を構造単位として含む、
樹脂組成物。
【請求項６】
ポリウレタンポリマー（Ａ）が、非揮発性中和剤及び／又は沸点が１００℃より高い有機中和剤から選択される１以上の中和剤（Ｃ）との反応後に形成されるイオン基を有する、請求項１〜５のいずれか一項に記載の樹脂組成物。
【請求項７】
ポリウレタンポリマー（Ａ）が、１以上の無機塩基との反応後に形成される陰イオン基を有する、請求項１〜６のいずれか一項に記載の樹脂組成物。
【請求項８】
前記無機塩基が水酸化ナトリウムなどのアルカリ金属水酸化物である、請求項７に記載の樹脂組成物。
【請求項９】
化合物（ｉｖ）が、場合によって、少なくとも１つのエチレン性不飽和基及び／又は直接的に又は中和剤（Ｃ）との反応後に、ポリマーを水に分散又は溶解可能にすることができる少なくとも１つの官能基を含むことができるポリオールから選択される、請求項１〜８のいずれか一項に記載の樹脂組成物。
【請求項１０】
化合物（ｉｖ）が、ポリエステルポリオール及び／又はポリカーボネートポリオールからなる群から選択される、請求項１〜９に記載の樹脂組成物。
【請求項１１】
化合物（ｉｖ）がポリカーボネートポリオールである、請求項１〜１０に記載の樹脂組成物。
【請求項１２】
使用される化合物（ｖ）の量が０．１〜１０重量％である、請求項１〜１１に記載の樹脂組成物。
【請求項１３】
ポリウレタンポリマー（Ａ）が、重量平均分子量１．０００〜１２．０００ダルトンの範囲、好ましくは３．０００〜９．０００ダルトンの範囲である、請求項１〜１２に記載の樹脂組成物。
【請求項１４】
平均粒径最大６０ｎｍ、好ましくは最大５０ｎｍ、最も好ましくは最大４０ｎｍの粒子を伴う水中分散体である、請求項１〜１３に記載の樹脂組成物。
【請求項１５】
乾燥後及び水中への再分散体の平均粒径が、元の粒径と比べて最大ファクター１０、好ましくは最大ファクター３増加する、請求項１４に記載の樹脂組成物。
【請求項１６】
少なくとも５０重量％の請求項１〜１５に記載の樹脂組成物を含む、放射線硬化性組成物。
【請求項１７】
請求項１６の組成物により、部分的又は全体に、コーティングされ、プリントされ、又は処理された物又は基材。
【手続補正２】
【補正対象書類名】明細書
【補正対象項目名】０１５２
【補正方法】変更
【補正の内容】
【０１５２】
【表４】
2016503122.tif 000001
本願発明を以下に記す。
［請求項１］
水性樹脂組成物（Ｉ）であって、少なくとも１つの重合可能なエチレン性不飽和ポリウレタンポリマー（Ａ）、場合によって、（Ａ）とは異なる少なくとも１つの重合可能なエチレン性不飽和化合物（Ｂ）、及び場合によって、少なくとも１つの中和剤（Ｃ）；を含み、
ポリウレタンポリマー（Ａ）は、重量平均分子量１５．０００ダルトン未満であり、並びに、少なくとも１つの脂肪族又は環状脂肪族ポリイソチアネート（ｉ）；イソシアネート基と反応することができる少なくとも１つの反応基、及び、直接的に又は塩を提供するための中和剤（Ｃ）との反応の後に、ポリウレタンポリマーを水性媒体に分散か溶解させることができる少なくとも１つの基を含む、少なくとも１つの親水性化合物（ｉｉ）；イソシアネート基と反応することができる少なくとも１つの求核基及び少なくとも１つの共重合可能なエチレン性不飽和基を本質的に含む、少なくとも１つの化合物（ｉｉｉ）；イソシアネート基と反応することができる少なくとも２つの反応基を含む少なくとも１つの化合物（ｉｖ）；及び場合によって、イソシアネート基と反応することができる少なくとも２つの反応基を含む、（ｉｖ）とは異なる少なくとも１つの鎖延長剤（ｖ）；との反応により得られ、
化合物（ｉ）により提供されるイソシアネート基と化合物（ｉｉ）、（ｉｉｉ）及び（ｉｖ）により提供されるイソシアネート反応基の当量比が、１．０５：１〜１．２０：１であり、
乾燥後の樹脂組成物（Ｉ）の不揮発性成分は２５℃で水に再分散性又は再溶解性である、
水性樹脂組成物。
［請求項２］
水中分散体である、請求項１に記載の樹脂組成物。
［請求項３］
化合物（Ａ）及び（Ｂ）の総重量に対して、６０〜１００重量％の化合物（Ａ）及び０〜４０重量％の化合物（Ｂ）を含む、請求項１又は２に記載の樹脂組成物。
［請求項４］
化合物（Ｂ）が存在しない、請求項１〜３のいずれか一項に記載の樹脂組成物。
［請求項５］
請求項１〜４のいずれか一項に記載の樹脂組成物であって、
ポリウレタンポリマー（Ａ）は、１０〜６０重量％の少なくとも１つのポリイソチアネート（ｉ）；イソシアネート基と反応することができる少なくとも１つの反応基、及び、直接的又は塩を提供するための中和剤との反応の後に、ポリウレタンポリマーを水性媒体に分散させることができる少なくとも１つの基を含む、２〜２５重量％の少なくとも１つの親水性化合物（ｉｉ）；イソシアネート基と反応することができる少なくとも１つの反応基及び少なくとも１つの共重合可能なエチレン性不飽和基を含む、２０〜８５重量％の少なくとも１つの化合物（ｉｉｉ）；イソシアネート基と反応することができる少なくとも２つの反応基を含む、１〜３５重量％の少なくとも１つの化合物（ｉｖ）；及び、イソシアネート基と反応することができる少なくとも２つの反応基を含む、化合物（ｉｖ）とは異なる０〜１０重量％の少なくとも１つの鎖延長剤（ｖ）；との反応により得られる、
樹脂組成物。
［請求項６］
ポリウレタンポリマー（Ａ）が、非揮発性中和剤及び／又は沸点が１００℃より高い有機中和剤から選択される１以上の中和剤（Ｃ）との反応後に形成されるイオン基を有する、請求項１〜５のいずれか一項に記載の樹脂組成物。
［請求項７］
ポリウレタンポリマー（Ａ）が、１以上の無機塩基との反応後に形成される陰イオン基を有する、請求項１〜６のいずれか一項に記載の樹脂組成物。
［請求項８］
前記無機塩基が水酸化ナトリウムなどのアルカリ金属水酸化物である、請求項７に記載の樹脂組成物。
［請求項９］
化合物（ｉｖ）が、場合によって、少なくとも１つのエチレン性不飽和基及び／又は直接的に又は中和剤（Ｃ）との反応後に、ポリマーを水に分散又は溶解可能にすることができる少なくとも１つの官能基を含むことができるポリオールから選択される、請求項１〜８のいずれか一項に記載の樹脂組成物。
［請求項１０］
化合物（ｉｖ）が、ポリエステルポリオール及び／又はポリカーボネートポリオールからなる群から選択される、請求項１〜９に記載の樹脂組成物。
［請求項１１］
化合物（ｉｖ）がポリカーボネートポリオールである、請求項１〜１０に記載の樹脂組成物。
［請求項１２］
使用される化合物（ｖ）の量が０．１〜１０重量％である、請求項１〜１１に記載の樹脂組成物。
［請求項１３］
ポリウレタンポリマー（Ａ）が、重量平均分子量１．０００〜１２．０００ダルトンの範囲、好ましくは３．０００〜９．０００ダルトンの範囲である、請求項１〜１２に記載の樹脂組成物。
［請求項１４］
平均粒径最大６０ｎｍ、好ましくは最大５０ｎｍ、最も好ましくは最大４０ｎｍの粒子を伴う水中分散体である、請求項１〜１３に記載の樹脂組成物。
［請求項１５］
乾燥後及び水中への再分散体の平均粒径が、元の粒径と比べて最大ファクター１０、好ましくは最大ファクター３増加する、請求項１４に記載の樹脂組成物。
［請求項１６］
少なくとも５０重量％の請求項１〜１５に記載の樹脂組成物を含む、放射線硬化性組成物。
［請求項１７］
請求項１６の組成物により、部分的又は全体に、コーティングされ、プリントされ、又は処理された物又は基材。